(57)【要約】      （修正有）【課題】夏場の自動車の車内などの高温状態において、回収容器の温度が上昇することを抑制する保冷収納容器を提供する。【解決手段】保冷収納容器１は、所定の流体を回収する回収容器２を収納する保冷収納容器１であって、回収容器２を収納可能な大きさであって、上方に向かって開口部３を有する有底筒形状の本体部４と、開口部３を開閉可能に覆う蓋部５と、を備え、本体部４及び蓋部５は、少なくとも断熱層を有するシート体により形成されており、蓋部５の本体部４側の面には冷却材料９を収納可能な袋状の収納部１０が設けられる。【選択図】図６
0003182790.tif 000002
【実用新案登録請求の範囲】
【請求項１】
所定の流体を回収する回収容器を収納する保冷収納容器であって、
前記回収容器を収納可能な大きさであって、上方に向かって開口部を有する有底筒形状の本体部と、
前記開口部を開閉可能に覆う蓋部と、を備え、
前記本体部及び前記蓋部は、少なくとも断熱層を有するシート体により形成されており、
前記蓋部の前記本体部側の面には冷却材料を収納可能な袋状の収納部が設けられることを特徴とする保冷収納容器。
【請求項２】
前記収納部は、メッシュにより構成されることを特徴とする請求項１に記載の保冷収納容器。
【考案の詳細な説明】
【技術分野】
【０００１】
本考案は、熱媒体などの流体を回収する回収容器を収納する保冷収納容器に関する。
【背景技術】
【０００２】
従来より、保冷を要する物品の保管、運搬には、断熱構造の保冷容器が一般に使用されている（特許文献１参照）。
【０００３】
また、従来よりエアコン、冷蔵庫などの熱媒体としての流体を圧縮して、高圧の状態の流体を回収する回収容器には、過充填による回収容器の破損を未然に防ぐ目的で可溶栓と呼ばれる安全弁が設けられている。可溶栓は、回収容器内の過充填高圧状態による温度上昇があった場合に、可溶栓を構成する低融点金属が溶融して内部の流体を外部に放出することにより、回収容器内の圧力を下げて回収容器の破損を防止するものである（特許文献２参照）。具体的には例えば摂氏３５度において５ＭＰａ以下のフルオロカーボン用の熱媒体回収容器には、摂氏６０度＋０−４で溶融する金属を内部に有する可溶栓が用いられており、回収容器の温度が摂氏６０度＋０−４の温度帯に達した場合に金属が溶融して、内部のフルオロカーボンが大気中に放出される。
【先行技術文献】
【特許文献】
【０００４】
【特許文献１】特開２００９−８３８７６号公報
【特許文献２】特開２００２−２２０９９号公報
【考案の概要】
【考案が解決しようとする課題】
【０００５】
ところで、例えばエアコンから熱媒体を回収する作業は、エアコンが設置されている場所で行われることになる。そのため、作業に用いていない回収容器は例えば自動車の車内などに保管されることになるが、主に夏場の自動車内部は冷房を掛けていない状態では、摂氏６０度を上回る恐れがある。そして、高圧ガスを充填する容器は、法律上常に４０度以下に保たなければならないとされており、摂氏６０度を上回った状態では、この法律に違反することになる。
【０００６】
また、前述の通り、フルオロカーボン用の熱媒体回収容器には、摂氏６０度＋０−４で溶融する金属を内部に有する可溶栓が設けられており、車内の温度が摂氏６０度を上回った状態では、可溶栓が溶け出してオゾン層の破壊の原因物質であり温室効果ガスでもある環境に負荷の高い流体が外部に放出されることになる。
【０００７】
そこで、本考案は、夏場の自動車の車内などの高温状態において、回収容器の温度が上昇することを抑制する保冷収納容器を提供することを目的とする。
【課題を解決するための手段】
【０００８】
請求項１に記載の保冷収納容器は、所定の流体を回収する回収容器を収納する保冷収納容器であって、前記回収容器を収納可能な大きさであって、上方に向かって開口部を有する有底筒形状の本体部と、前記開口部を開閉可能に覆う蓋部と、を備え、前記本体部及び前記蓋部は、少なくとも断熱層を有するシート体により形成されており、前記蓋部の前記本体部側の面には冷却材料を収納可能な袋状の収納部が設けられることを特徴としている。
【０００９】
請求項２に記載の保冷収納容器は、前記収納部は、メッシュにより構成されることを特徴としている。
【考案の効果】
【００１０】
請求項１に記載の保冷収納容器によると、断熱層を有するシート体により形成された本体部及び蓋部によって構成される保冷収納容器に回収容器が収納され、尚且つ、蓋体の本体部側の面に冷却材料を収納可能な袋状の収納部が設けられているので、収納部内に収納した冷却材料により収納した回収容器が冷されて、外部が高温の場合でも回収容器の温度が上昇することを抑制することができる。特に、蓋体の本体部側の面に収納部を設けることで、収納される回収容器を上方から冷却することができるので、一般的に回収容器の上部に取付けられているバルブを冷すことができ、このバルブに取付けられている可溶栓の溶融をより効果的に抑制することができる。
【００１１】
請求項２に記載の保冷収納容器によると、収納部は、メッシュにより構成されているので、収納部内に収納される冷却材料は、保冷収納容器内の空気を確実に冷却することができ、回収容器周辺の空気の温度が上昇することを抑制することができる。
【図面の簡単な説明】
【００１２】
【図１】開口部が開いた状態の保冷収納容器の構成を示す斜視図。
【図２】斜め下側から見た開口部が閉じられた状態の保冷収納容器の構成を示す図。
【図３】保冷収納容器に収納される回収容器の構成を示す斜視図。
【図４】回収容器に取付けられている可溶栓の構成を説明する断面図。
【図５】保冷収納容器に回収容器を収納する状態を示す斜視図。
【図６】収納部に冷却材料を挿入する状態を示す斜視図。
【図７】開口部が閉じられた状態の保冷収納容器の構成を示す斜視図。
【図８】回収容器を収納した保冷収納容器が閉じられたときの保冷収納容器の内部を示す断面図。
【考案を実施するための形態】
【００１３】
以下、各図を参照しつつ、本考案の保冷収納容器１の実施形態について説明する。保冷収納容器１は、図５に示すように、例えば熱媒体や絶縁ガス等の流体を高圧状態で回収する回収容器２を収納する容器である。この保冷収納容器１は、図１に示すように、回収容器２が収納できる大きさの上方に向かって開口部３を有する有底筒形状の本体部４と、開口部３を開閉可能に覆う蓋部５と、本体部４に固定されている把持紐６と、を備えている。
【００１４】
本体部４は、可撓性を有する発泡樹脂からなる断熱層の表面にアルミニウム蒸着フィルムの防水層を貼り付けて有底円筒形状に形成されており、底面には円形平板状の補強樹脂板７が取付けられている。本体部４は、上側から押さえつけると側面が蛇腹状に折り畳まれて小さくすることができる。したがって、保冷収納容器１を使用しない場合には、小さく嵩張らないように収納することができる。本体部４上端の開口部３には、その縁に沿ってスライドファスナー８の一方のファスナー片８ａが固定されている。また、開口部３の一部は、蓋部５と一体に結合されており、蓋部５はこの結合部分を軸にして本体部４の開口部３を開閉している。
【００１５】
蓋部５は、本体部４と同様に可撓性を有する発泡樹脂からなる断熱層の表面にアルミニウム蒸着フィルムの防水層を貼り付けて形成されており、本体部４の開口部３を覆う大きさの円形平板状に形成されている。蓋部５の周縁には本体部４の開口部３の縁に沿って設けられているファスナー片８ａに噛み合うようにスライドファスナー８の他方のファスナー片８ｂが固定されている。
【００１６】
また、図６に良くあらわれているように、蓋部５が本体部４の開口部３を覆ったときに蓋部５の本体部４側となる面には、冷却材料９を収納可能な袋状の収納部１０が設けられる。収納部１０は、例えばメッシュ状に形成されており、冷却材料９が直接保冷収納容器１内部の空気に触れることができるので、保冷収納容器１内部の収納物を確実に冷却することができる。なお、冷却材料９は、水を含んだ高吸水性樹脂等を樹脂フィルムの袋に封入した保冷剤を凍らせて用いることができる。また、冷却材料９は、保冷剤に替えて氷嚢であってもよい。
【００１７】
把持紐６は、図１及び図２に示すように、１本の環状の紐を中間部が互いに平行な長円状に保持して、その中間部を本体部４の底面に貼着し、底面から両側にはみ出した部分の把持紐６を上方に向けてそれぞれ本体部４の側面に貼り付けており、把持紐６の上端を持ち手６ａにしている。本体部４の側面の把持紐６が貼着された位置には補強片１１が把持紐６に重なるように貼り付けられており、把持紐６が本体部４から外れることを防いでいる。
【００１８】
保冷収納容器１に収納される回収容器２は、熱媒体や絶縁ガス等の流体を高圧状態で回収するボンベであって、図３に示すように、上部に流体を受け入れるバルブ１２が設けられている。バルブ１２は、Ｙ字状に形成された二口バルブであって、気体を受け入れる気体側バルブ１２ａと、液体を受け入れる液体側バルブ１２ｂとを備えている。更に、このバルブ１２には可溶栓１３が設けられている。可溶栓１３は図４に示すように、バルブ１２の外表面から内部に貫通する図外のネジ孔に螺合する雄ネジ１３ａの軸に貫通孔１３ｂが設けられ、当該貫通孔１３ｂに低融点の合金１３ｃを注入して封止したものである。この合金１３ｃは例えば摂氏５６度から摂氏６０度の範囲で溶融するものである。
【００１９】
回収容器２を自動車の車内や直射日光の当る場所などの高温の恐れがある場所に保管する場合には、図５に示すように、本体部４の開口部３から回収容器２を保冷収納容器１に挿入する。そして、図６に示すように、蓋部５の本体部４側の面に形成されている収納部１０内に凍らせた冷却材料９を挿入する。そして、図７に示すように、本体部４の開口部３を蓋部５で覆うように閉じて、開口部３の縁に設けられたスライドファスナー８のファスナー片８ａと蓋部５の周縁のファスナー片８ｂとを噛み合い係合させて、保冷収納容器１を閉じる。
【００２０】
このように、保冷収納容器１によると、断熱層を有する本体部４及び蓋部５によって構成される保冷収納容器１に回収容器２が収納され、尚且つ、蓋体の本体部４側の面に冷却材料９を収納可能なメッシュ製の袋状の収納部１０が設けられているので、図８に示すように、収納部１０内に収納した冷却材料９により収納した回収容器２が冷されて、外部が高温の場合でも回収容器２の温度が上昇することを抑制することができる。特に、蓋体の本体部４側の面に収納部１０を設けることで、収納される回収容器２を上方から冷却することができるので、回収容器２の上部に取付けられているバルブ１２を冷すことができ、このバルブ１２に取付けられている可溶栓１３の溶融をより効果的に抑制することができる。
【００２１】
なお、本考案の実施の形態は上述の形態に限ることなく、本考案の思想の範囲を逸脱しない範囲で適宜変更することができることは云うまでもない。
【産業上の利用可能性】
【００２２】
本考案に係る保冷収納容器１は、エアコン等の熱媒体を回収する回収容器２を収納して、高温環境下に保管する場合に用いる保冷収納容器１として好適に用いることができる。
【符号の説明】
【００２３】
１      保冷収納容器
２      回収容器
３      開口部
４      本体部
５      蓋部
９      冷却材料
１０    収納部
【図１】
0003182790.tif 000003
【図２】
0003182790.tif 000004
【図３】
0003182790.tif 000005
【図４】
0003182790.tif 000006
【図５】
0003182790.tif 000007
【図６】
0003182790.tif 000008
【図７】
0003182790.tif 000009
【図８】
0003182790.tif 000010